(57)【要約】【課題】  組立が容易にできるカード用コネクタおよびプッシュプッシュ式のイジェクト機構を提供する。【解決手段】  カード用コネクタ１０が、絶縁ハウジング２０と、絶縁ハウジング２０の外側を覆うように設けられたメタルシェル３０とを備え、絶縁ハウジング２０とメタルシェル３０でカード受入空洞５０が形成されてカードの挿入・抜去が可能にされている。  カード受入空洞５０の一側に、カードの挿入・抜去の方向でスライドするカムスライダー７１と、カムスライダー７１に設けられたカム溝７４に係合してカムスライダー７１のスライドを制御するカムピン７２とを有するプッシュプッシュ式のカードイジェクト機構７０が設けられている。カムピン７０が、メタルシェル３０の側板３２内に片持ち梁状に切り起こしたばね片３２１の先端に設けられたピン状突起３２２で構成されている。【選択図】  図１
2005135807.tif 000002
【特許請求の範囲】
【請求項１】
絶縁ハウジング（２０）と、絶縁ハウジング（２０）の外側を覆うように設けられたメタルシェル（３０）とを備え、絶縁ハウジング（２０）とメタルシェル（３０）でカード受入空洞（５０）が形成されてカード（６０）の挿入・抜去が可能にされていると共に、
前記カード受入空洞（５０）の一側に、カード（６０）の挿入・抜去の方向でスライドするカムスライダー（７１）と、カムスライダー（７１）に設けられたカム溝（７４）に係合してカムスライダー（７１）のスライドを制御するカムピン（７２）とを有するプッシュプッシュ式のカードイジェクト機構（７０）が設けられているカード用コネクタ（１０）において、
前記カムピン（７２）が、前記メタルシェル（３０）内に切り起こしたピン状突起（３２２）で構成されていることを特徴とするカード用コネクタ。
【請求項２】
前記ピン状突起（３２２）は、前記メタルシェル（３０）内に片持ち梁状に切り起こしたばね片（３２１）の先端を屈曲させて形成されている請求項１に記載のカード用コネクタ。
【請求項３】
前記メタルシェル（３０）は、前記絶縁ハウジング（２０）の上側を覆う頂板（３１）と、頂板（３１）の縁部から垂下して絶縁ハウジング（２０）の側面を覆う側板（３２）とを備え、前記ばね片（３２１）が側板（３２）内に切り起こされている請求項２に記載のカード用コネクタ。
【請求項４】
前記メタルシェル（３０）は、前記絶縁ハウジング（２０）の上側を覆う頂板（３１）と、頂板（３１）の縁部から垂下して絶縁ハウジング（２０）の側面を覆う側板（３２）とを備え、前記ばね片（３２１）が頂板（３１）の縁部付近に切り起こされている請求項２に記載のカード用コネクタ。
【請求項５】
絶縁ハウジング（２０）と、絶縁ハウジング（２０）の外側を覆うように設けられたメタルシェル（３０）とを備え、絶縁ハウジング（２０）とメタルシェル（３０）でカード受入空洞（５０）が形成されてカード（６０）の挿入・抜去が可能にされていると共に、
前記カード受入空洞（５０）の一側に、カード（６０）の挿入・抜去の方向でスライドするカムスライダー（７１）と、カムスライダー（７１）に設けられたカム溝（７４）に係合してカムスライダー（７１）のスライドを制御するカムピン（７２）とを有するプッシュプッシュ式のカードイジェクト機構（７０）が設けられているカード用コネクタ（１０）において、
前記カムピン（７２）が、前記メタルシェル（３０）内に片持ち梁状に切り起こしたばね片（３２１、３２５）の先端に設けられたピン状突起（３２２、３２３、３２４）で構成されていることを特徴とするカード用コネクタ。
【請求項６】
前記ばね片（３２１、３２５）の先端に設けられたピン状突起（３２２）は、ばね片（３２１、３２５）の先端を屈曲させて設けられている請求項５に記載のカード用コネクタ。
【請求項７】
前記ばね片（３２１、３２５）の先端に設けられたピン状突起（３２２、３２３、３２４）は、ばね片（３２１、３２５）の先端に一体に設けられている請求項５に記載のカード用コネクタ。
【請求項８】
前記メタルシェル（３０）は、前記絶縁ハウジング（２０）の上側を覆う頂板（３１）と、頂板（３１）の縁部から垂下して絶縁ハウジング（２０）の側面を覆う側板（３２）とを備え、前記ばね片（３２１）が側板（３２）内に切り起こされている請求項５に記載のカード用コネクタ。
【請求項９】
前記メタルシェル（３０）は、前記絶縁ハウジング（２０）の上側を覆う頂板（３１）と、頂板（３１）の縁部から垂下して絶縁ハウジング（２０）の側面を覆う側板（３２）とを備え、前記ばね片（３２５）が頂板（３１）の縁部付近に切り起こされている請求項５に記載のカード用コネクタ。
【請求項１０】
スライド可能のカムスライダー（７１）と、カムスライダー（７１）に設けられたカム溝（７４）に係合してカムスライダー（７１）のスライドを制御するカムピン（７２）とを有するプッシュプッシュ式のイジェクト機構（７０）において、
前記カムピン（７２）が、イジェクト機構（７０）の外側を覆っているメタルシェル（３０）内に片持ち梁状に切り起こしたばね片（３２１、３２５）の先端のピン状突起（３２２、３２３、３２４）で構成されていることを特徴とするプッシュプッシュ式のイジェクト機構。
【請求項１１】
ばね片（３２１、３２５）の先端の前記ピン状突起（３２２）は、ばね片（３２１、３２５）の先端を屈曲させて構成されている請求項１０に記載のプッシュプッシュ式のイジェクト機構。
【請求項１２】
ばね片（３２１、３２５）の先端の前記ピン状突起（３２２、３２３、３２４）は、ばね片（３２１、３２５）の先端に一体に設けられている請求項１０に記載のプッシュプッシュ式のイジェクト機構。
【発明の詳細な説明】
【技術分野】
【０００１】
この発明は、メモリーカード等のカード状媒体を挿入・抜去できるようにしたカード用コネクタおよびイジェクト機構に関する。
【背景技術】
【０００２】
今日においてメモリー媒体として種々のセット、即ち電子機器には、各種メモリーカードが使用されており、今後更に使用される数は増加の一途にあると考えられる。また、そのメモリーカードを使用するに当たり、セット側には必ずカード用コネクタが搭載されるが、挿入したカードを抜去するイジェクト機構としては、その使い勝手の良さから、プッシュプッシュ式のイジェクト機構が主流となっている。
【０００３】
このプッシュプッシュ式のイジェクト機構は、カードの挿入・抜去の方向でスライド可能とされるカムスライダーと、カムスライダーに設けられたカム溝に係合してカムスライダーのスライドを制御するカムピンを主要な構成部材として構成されるもので、カード用コネクタに設けられたカード受入空洞の一側に、カムスライダーがカードの抜去方向にスプリングで付勢した状態で設置される（特許文献１参照）。カード受入空洞にメモリーカード等のカードを挿入すると、カードとカムスライダーが一体となってスライドすることとなり、挿入したカードを挿入位置で保持したり、スプリングで付勢されたカムスライダーを介してカードを抜去方向へスライドさせて排出したりできるようになっている。
【０００４】
【特許文献１】特開２００１−２９１５５２号公報  （図１、２、段落００２５〜００２８）
【発明の開示】
【発明が解決しようとする課題】
【０００５】
このプッシュプッシュ式のイジェクト機構の場合、部品点数が多いという問題のみならず、組立の自動化が困難な上、手組みでも技術や熟練を必要とし、製品の歩留まりが悪い問題があった。特に問題なのは、前記カムピンをカムスライダーにセットする工程と、カムピンをセットしたイジェクト機構をメタルシェルなどのカバー部材で覆う工程である。カムピンをカムスライダーのカム溝に係合させた仮置き状態でメタルシェルなどのカバー部材を装着するように工程を進めて行くが、カムピンが非常に小さく軽いため、取り扱い性が悪い上、仮置き状態のカムピンがカバー部材の装着の際に、振動等によってカム溝から外れたり脱落したりする。
【０００６】
この発明は、このような問題点に鑑みて成されたものであり、組立が容易にできるカード用コネクタおよびプッシュプッシュ式のイジェクト機構を提供することを目的にしている。
【課題を解決するための手段】
【０００７】
この発明のカード用コネクタは、絶縁ハウジングと、絶縁ハウジングの外側を覆うように設けられたメタルシェルとを備え、絶縁ハウジングとメタルシェルでカード受入空洞が形成されてカードの挿入・抜去が可能にされていると共に、
前記カード受入空洞の一側に、カードの挿入・抜去の方向でスライドするカムスライダーと、カムスライダーに設けられたカム溝に係合してカムスライダーのスライドを制御するカムピンとを有するプッシュプッシュ式のカードイジェクト機構が設けられているカード用コネクタにおいて、
前記カムピンが、前記メタルシェル内に切り起こしたピン状突起で構成されていることを特徴としている。
【０００８】
また、この発明のカード用コネクタは、絶縁ハウジングと、絶縁ハウジングの外側を覆うように設けられたメタルシェルとを備え、絶縁ハウジングとメタルシェルでカード受入空洞が形成されてカードの挿入・抜去が可能にされていると共に、
前記カード受入空洞の一側に、カードの挿入・抜去の方向でスライドするカムスライダーと、カムスライダーに設けられたカム溝に係合してカムスライダーのスライドを制御するカムピンとを有するプッシュプッシュ式のカードイジェクト機構が設けられているカード用コネクタにおいて、
前記カムピンが、前記メタルシェル内に片持ち梁状に切り起こしたばね片の先端に設けられたピン状突起で構成されていることを特徴としている。
【０００９】
更に、この発明のプッシュプッシュ式のイジェクト機構は、スライド可能のカムスライダーと、カムスライダーに設けられたカム溝に係合してカムスライダーのスライドを制御するカムピンとを有するプッシュプッシュ式のイジェクト機構において、
前記カムピンが、イジェクト機構の外側を覆っているメタルシェル内に片持ち梁状に切り起こしたばね片の先端のピン状突起で構成されていることを特徴としている。
【００１０】
以下では、この発明のカード用コネクタの実施形態が説明されるが、プッシュプッシュ式のイジェクト機構自体は、その使用がカード用コネクタに限定されるものではない。実施形態のカード用コネクタの場合、カバー部材としてのメタルシェルが絶縁ハウジングの上側を覆う頂板と、頂板の縁部から垂下して絶縁ハウジングの側面を覆う側板を備えた構成とされる。前記ピン状突起は、メタルシェルの側板内に片持ち梁状に切り起こしたばね片の先端を屈曲させて形成しているが、ばね片の先端にピン状突起を成形したり取り付けることもできる。更に、この片持ち梁状のばね片は、メタルシェルの側板に連続する頂板の縁部付近に切り起こして設けることもできる。
【発明の効果】
【００１１】
この発明のカード用コネクタおよびプッシュプッシュ式のイジェクト機構によれば、従来単独の部品であったカムピンを無くして、ピン状突起をメタルシェルなどのカバー部材から切り起こして設けてこれをカムピンとしたので、メタルシェルなどのカバー部材とカムピンが一体となって、組立性を向上し、簡単な組立を可能にできる効果がある。また、機械による自動化も可能にできる。しかも、カムピンとカムスライダーの組立に失敗がないので、製品の歩留まりも向上することができる。
【発明を実施するための最良の形態】
【００１２】
以下、この発明をカード用コネクタにおいて実施した場合について、添付の図を参照して説明する。
【００１３】
図示した実施形態のカード用コネクタ１０は、絶縁ハウジング２０と、絶縁ハウジング２０の外側を覆うように設けられたメタルシェル３０とを備えている。絶縁ハウジング２０は、絶縁性のプラスチックで成形されたもので、図５に示されているように、略Ｕ字状の形状の底壁２１と、底壁２１の端縁に立ち上がっている端子装着壁２２とを有している。端子装着壁２２には、複数の導電端子４０が横並びで装着されて、コンタクト片４１が底壁２１と略平行となって片持ち梁の状態で延びている。端子装着壁２２の外側には、導電端子４０の、Ｌ字形に成形された半田テイル４２が延びて、半田付け部４2１が底壁２１の下面と略面一になっている。
【００１４】
メタルシェル３０は、ステンレススチールなどの薄い金属板を箱状に成形したもので、前記絶縁ハウジング２０の底壁２１の幅と長さに略等しい幅と長さの略方形の頂板３１と、頂板３１の側縁から垂下する一対の対向する側板３２とを有している。
【００１５】
メタルシェル３０の側板３２と、頂板３１から端子装着壁２２の外側に沿って垂下するようにした連結片３３にはいくつかの係合窓３４が設けられ、絶縁ハウジング２０側の係合突部２３と係合させて、メタルシェル３０を絶縁ハウジング２０に組み付けられるようになっている。
【００１６】
メタルシェル３０を絶縁ハウジング２０に組み付けて、上方がメタルシェル３０の頂板３１で仕切られ、下方が絶縁ハウジング２０の底壁２１で仕切られたカード受入空洞５０が形成されている。このカード受入空洞５０には、前記端子装着壁２２と対向している開口部を挿入口５１として、図８〜１１に示すように、メモリーカードなどのカード６０を挿入・抜去できるようになっている。
【００１７】
カード受入空洞５０の一側には、カード６０を排出するためのイジェクト機構７０が設置されている。このイジェクト機構７０は、カムスライダー７１とカムピン７２を主要な構成部材とするプッシュプッシュ式のイジェクト機構である。カムスライダー７１は、図５に表れているように、絶縁ハウジング２０の底壁２１上に、カード６０の挿入・抜去の方向で、底壁２１に沿ってスライド可能に設置されている。そして、端子装着壁２２とカムスライダー７１の間に、コイルスプリング７３が圧縮状態で装着されて、矢示７５の方向、即ち、カード６０を抜去する方向に常時付勢されている。
【００１８】
カムピン７２は、カムスライダー７１の外側面に形成されているカム溝（ハートカム）７４に係合して、コイルスプリング７３で付勢されているカムスライダー７１のスライドを制御するものである。この実施形態において、このカムピン７２が、図１〜４に示されているように、前記メタルシェル３０の側板３２に片持ち梁状に切り起こしたばね片３２１の先端に屈曲成形したピン状突起３２２で構成されている。ピン状突起３２２で構成したカムピン７２が、ばね片３２１の弾力で内側に付勢されて、常時カム溝７４と係合し、外れないようにされている。
【００１９】
以上のように構成されているカード用コネクタ１０を組み立てるには、先ず、絶縁ハウジング２０の端子装着壁２２に導電端子４０を装着すると共に、底壁２１の側縁に、イジェクト機構７０を構成するカムスライダー７１とコイルスプリング７３を設置する。次に、メタルシェル３０を絶縁ハウジング２０の外側に組み付けて、メタルシェル３０の側壁３２に切り起こしたばね片３２１のピン状突起３２２をカムスライダー７１のカム溝７４に係合させる。カム溝７４と係合するカムピン７２がメタルシェル３０に一体のピン状突起３２２で構成されているために、カム溝７４とカムピン７２の係合が確実にでき、失敗もなく容易にカード用コネクタ１０を組み立てることができる。失敗がなく組み立てることができるので、製品の歩留まりを向上することができる。また、カムピン７２がメタルシェル３０内に一体に設けられるので、部品点数も減らすことができる。
【００２０】
図７〜図１１は、上記の如くに構成されたカード用コネクタ１０のカード受入空洞５０にメモリーカードなどのカード６０を挿入する場合のカムスライダー７１のスライド動作が段階的に示されている。図７は、カード受入空洞５０にカード６０を挿入する前の初期状態の図である。コイルスプリング７３で付勢されているカムスライダー７１は、挿入口５１に最も近い位置までスライドして停止している。
【００２１】
図８は、カード６０を挿入する初期の図である。カード６０の先端部６１がカムスライダー７１に接近して行く。カード６０の先端部６１がカムスライダー７１に接する位置まで挿入されると、図９のように、カード６０の側縁に設けられた係合凹部６２に、カムスライダー７１の係合凸部７１１が係合して、カード６０とカムスライダー７１が一体となり、カード６０仮保持状態にされる。
【００２２】
カード６０とカムスライダー７１が一体化した状態で、カード６０の挿入を更に続行すると、カムスライダー７１もカード６０と共に端子装着壁２２の方向にスライドするようになる。図１０は、カード６０の先端部６１とカムスライダー７１が共に端子装着壁２２までスライドして当接した状態で、これをプッシュプッシュ式のイジェクト機構においてはオーバーストロークの状態と称している。カード６０およびカムスライダー７１をオーバーストローク状態とした後、カード６０に与えていた挿入力を解除すると、圧縮されたコイルスプリング７３の弾発力がカムスライダー７１およびカード６０を挿入口５１の方向へ押し戻し、図１１のロック位置までスライドさせ、カム溝７４によってこの位置でスライドが停止する。
【００２３】
このロック位置は、カード６０の接点パッド（図示せず）が導電端子４０のコンタクト片４１と電気的に係合する位置となっており、カード６０とカード用コネクタ１０が接続状態となる。このようにして挿入したカード６０の抜去は、図１１のロック位置にあるカード６０を図１０のオーバーストロークの状態まで再度押し込むようにして行う。ロック状態からオーバーストローク状態へとカムスライダー７１がスライドすると、カムピン７２は、カムスライダー７１を停止させていた溝（カム溝７４の一部）から移動することとなり、カムスライダー７１およびカード６０が図９の仮保持状態の位置までコイルスプリング７３の弾発力で押し戻され、カード６０を引き抜けるようにする。
【００２４】
上記の実施形態では、カムピン７２をばね片３2１の先端に屈曲成形したピン状突起３２２で構成したが、図１２のように、ばね片３2１の先端部に絞り成形したピン状突起３２３で構成することもできる。更には、図１３のように、ばね片３２１の先端部にピン３２４を植設、一体化してカムピン７２を構成することもできる。
【００２５】
また、メタルシェル３０の側板３２に片持ち梁の状態で切り起こしたばね片３２１は、図１４のように、頂板３１の縁部付近に切り起こしたばね片３２５とすることもできる。この場合、当然のことながら、カムスライダー７１のカム溝７４は、頂板３１と対向する面に設けられることとなる。
【図面の簡単な説明】
【００２６】
【図１】この発明の実施形態であるカード用コネクタの斜視図である。
【図２】図１のＡ部を拡大した図である。
【図３】メタルシェル内に切り起こしたばね片の部分を取り出して示している、外側拡大斜視図である。
【図４】同じく、ばね片の部分を取り出して示している、内側拡大斜視図である。
【図５】カード用コネクタを構成した絶縁ハウジングの斜視図である。
【図６】図５のＢ部を拡大した図である。
【図７】カード用コネクタにカードを挿入する際のカムスライダーのスライド動作を説明する図で、初期状態の図である。
【図８】同じく、カード挿入初期の状態の図である。
【図９】同じく、カードを仮保持した状態の図である。
【図１０】同じく、オーバーストロークの状態の図である。
【図１１】同じく、ロック状態の図である。
【図１２】ピン状突起の他の例を示す部分断面図である。
【図１３】ピン状突起の更に他の例を示す部分断面図である。
【図１４】メタルシェルの頂板にばね片を切り起こした実施形態の、一部斜視図である。
【符号の説明】
【００２７】
１０          カード用コネクタ
２０          絶縁ハウジング
２１          底壁
２２          端子装着壁
２３          係合突部
３０          メタルシェル
３１          頂板
３２          側板
３２１        ばね片
３２２        ピン状突起
３２３        ピン状突起
３２４        ピン
３２５        ばね片
３３          連結片
３４          係合窓
４０          導電端子
４１          コンタクト片
４２          半田テイル
４２１        半田付け部
５０          カード受入空洞
５１          挿入口
６０          カード
６１          先端部
６２          係合凹部
７０          イジェクト機構（プッシュプッシュ式）
７１          カムスライダー
７１１        係合凸部
７２          カムピン
７３          コイルスプリング
７４          カム溝
７５          矢示
【図１】
2005135807.tif 000003
【図２】
2005135807.tif 000004
【図３】
2005135807.tif 000005
【図４】
2005135807.tif 000006
【図５】
2005135807.tif 000007
【図６】
2005135807.tif 000008
【図７】
2005135807.tif 000009
【図８】
2005135807.tif 000010
【図９】
2005135807.tif 000011
【図１０】
2005135807.tif 000012
【図１１】
2005135807.tif 000013
【図１２】
2005135807.tif 000014
【図１３】
2005135807.tif 000015
【図１４】
2005135807.tif 000016